(57)【要約】【課題】ハンガー自体及びハンガーに掛けた衣類等に対して効率的に滅菌防臭の作用を及ぼすハンガーを提供すること【解決手段】ハンガー及び滅菌防臭材に酸化チタン光触媒等の素材を利用した素材を用い、かつ固定手段と位置決め構造体により滅菌防臭材をハンガーに掛けられた衣類等の周辺の露光部に配置して課題解決の手段としている。【選択図】　図１
2004105660.tif 000002
【特許請求の範囲】
【請求項１】
衣類等を掛けるハンガーにおいて、少なくとも表面の一部を含み、高々その全表面を含む全体を、酸化チタン光触媒等の素材かあるいは当該の素材を含有するかあるいは当該の素材を部分的に用いている素材で構成したことを特徴とする滅菌防臭機能付きハンガー。
【請求項２】
前記滅菌防臭機能付きハンガーにおいて、少なくとも表面の一部を含み、高々その全表面を含む全体を、酸化チタン光触媒等の素材かあるいは当該の素材を含有するかあるいは当該の素材を部分的に用いている素材で構成した滅菌防臭材を具備し、当該の滅菌防臭材を前記滅菌防臭機能付きハンガーに掛けた衣類等の周辺の露光部あるいは当該の露光部を含む部位に配置する固定手段と位置決め構造体とを具備したことを特徴とする請求項１記載の滅菌防臭機能付きハンガー。
【発明の詳細な説明】
【０００１】
【発明の属する利用分野】
本発明は、衣類等を乾燥させる際、あるいは衣類等を保管する際のハンガーに関し、ハンガー自体及びハンガーに掛けた衣類等に対して効率的な防臭・防菌・滅菌効果が得られるハンガーに関するものである。
【０００２】
【従来の技術】
図２１は、従来のハンガーを示す説明図である。
この図２１において、１０１はハンガー、１０１ａはハンガーのフック、１０１ｂはハンガーの袖、１０２は衣類等である。
一般に、従来のハンガー１０１においては衣類等を掛けて吊し、保管、展示、乾燥等に用いる。
例えば図２１は厚手の衣類のオーバーコートで襟の部分に防寒具が付帯したものをハンガーに掛けた様子であり、首周りの襟等のボリュームがあり、その襟等でハンガー１０１は殆ど覆い隠されてしまう。また、ハンガー１０１は衣類のみを掛けるのみにあらず、タオル、布地、生地等を掛けて保持し吊すことにも用いられる。さらにはこうした用途に用いられている別の呼称で呼ばれている「ボディハンガー」（図２２）、「トルソー」（図２３）、「コートハンガー」（図２４）等も機能的には全く同様の機能を果たしている従来のハンガーである。
さらには、複数の衣類等１０２を同時に掛けて保持し吊すことが可能である形態の一般に「洗濯ハンガー」（図２５）、「ハンガーラック」（図２６）と呼ばれているものも衣類等を掛けて保持し吊すという同様の機能を果たしている従来のハンガーである。
例えば図２１では、衣類を掛ける場合は衣類において首を通す部位にはハンガー１０１のフック１０１ａを通し、衣類の肩あるいは袖の部位にはハンガー１０１の袖１０１ｂを掛けて当てることにより、衣類等１０２を保持し吊すことを可能としている。その上でハンガー１０１のフック１０１ａを適切な場所に引っかけることにより、衣類が地上あるいは床上等の適切な高さの位置に保持し吊すされることとなる。家庭においては、衣類等１０２の保管用としてハンガー１０１を用いる事も常であり、また衣類を洗濯する際の乾燥の時にもハンガー１０１を屋外・屋内のいずれにおいても用いられる事も常である。さらに、業務においては、保管において、販売等の際の展示において等種々の用途において衣類等１０２を掛けて用いられることが常であることは言うまでも無い。
従来、ハンガー１０１の全ての部位を抗菌性の素材で構成しているものもある。（例えば、特許文献１参照。）
また、ハンガー１０１に衣類等を掛けて個別にその上から消臭、防虫、除湿、抗菌等を目的としてカバーの類で衣類等１０２の全体に覆い掛けて構成してるものもある。（例えば、特許文献２、特許文献３、特許文献４参照。）
さらには、複数の衣類等１０２を同時に掛けて保持し吊すことが可能である形態のハンガー１０１において、防塵、防虫、防カビ、抗菌、防臭を目的に複数の衣類等を同時に全てを覆い掛けて構成しているものもある。（例えば、特許文献５参照。）
ところが、これら従来においては、ハンガー１０１の全ての部位を抗菌性の素材が構成しているものに関しては、ハンガー１０１自体の抗菌性に有効な例であり、人の手に直接触れられるハンガー１０１表面の抗菌性に効果があり、人の手に直接触れられるハンガー１０１自体の衛生面に視点が置かれている。それ故にハンガー１０１に掛けられた衣類等１０２を滅菌防臭の対象とした滅菌防臭性に関しては十分な効果が得られないものである。
また、衣類等１０２を個別に覆うカバーにおいて、消臭、防虫、除湿、抗菌を目的とする場合においては、そのカバーを酸化チタン光触媒等の素材を利用して構成しても、複数の衣類等１０２を同時に掛けて保持し吊す場合には、各個の吊された衣類は隣同士間隔が無くなる状態となる場合には衣類等１０２の間に挟まれてしまったカバーの部分には光が当たらず、この部位では酸化チタン光触媒等の機能に基づいた効果が発揮されない。その上、個別に覆ってしまったカバーがカバーの外との通気を阻害してしまい、カバーが露光されている部位のカバーの外表面で起こる防臭・抗菌・滅菌の主たる作用がハンガー１０１に掛けられた衣類に及ばないことが常であった。
さらには、複数の衣類等１０２を同時に掛けて保持し吊すことが可能である形態のハンガー１０１において、防塵、防虫、防カビ、抗菌、防臭等を目的に複数の衣類等１０２を同時に全てを覆い掛けて構成しているものにおいては、全体に覆い被せる貯めに大きいハンガー１０１においては複数の作業者でカバーを全体に掛ける必要が生じる等取り扱いが困難であったり、衣類等１０２を掛けずにハンガー１０１を使用していない時に当該のカバーを片づけて保管しておく際に大きく手間と場所を取るなどの不具合があった。
【特許文献１】
特開平１０−２４４６０４号公報（第１−７頁、第１図）
【特許文献２】
実登３０２４２８０号（第１−１５頁、第１図）
【特許文献３】
特開平１１−２４４１２５号（第１−３頁、第１図）
【特許文献４】
特開平１０−１１４３７３号公報（第１−１４頁、第１図）
【特許文献５】
特開平８−２５６８９７号公報（第１−４頁、第１図）
【０００３】
【発明が解決しようとする課題】
そこで、本発明の目的は酸化チタン光触媒等の脱臭性・抗菌性・滅菌性を具備する素材かあるいは当該の素材を含有するかあるいは当該の素材を部分的に用いている素材を利用したハンガー及び滅菌防臭材を用い、かつ滅菌防臭材を的確にハンガーの掛けた衣類等の周辺の露光部に配置することにより、ハンガー自体及びハンガーに掛けた衣類等に対して効率的に滅菌防臭の作用を実現し、掛けた衣類周辺の通気を滅菌防臭材自体が阻害すること無く、滅菌防臭材のハンガーへの装着が非常に容易で、かつ非使用時の保管・収納が簡単に効率的に行える滅菌防臭材機能付きハンガーを提供することにある。
【０００４】
【課題を解決するための手段】
上記課題を解決するために本発明では、ハンガーに掛けた衣類等の周辺の露光部位あるいは当該の露光部位を含む領域に滅菌防臭材あるいは滅菌防臭性を具備するハンガーの少なくとも一部を配置することを可能とし、光がある時には酸化チタン光触媒等の脱臭性・抗菌性・滅菌性を具備する素材を用いた滅菌防臭材及びハンガーの少なくとも一部が常に露光され、露光時には常に脱臭、滅菌の作用をハンガー及びハンガーに掛けた衣類等に及ぼし、ハンガー及びハンガーに掛けた衣類等の全体への酸化チタン光触媒の脱臭・抗菌・滅菌の作用を波及させ、脱着が容易で収納・保管に手間と場所を取らない滅菌防臭機能付きハンガーを実現する為に、酸化チタン光触媒等の脱臭性・抗菌性・滅菌性を具備する素材かあるいは当該の素材を含有するかあるいは当該の素材を部分的に用いている素材を利用したハンガー及び滅菌防臭材を用い、ハンガーあるいは滅菌防臭材の少なくとも一方にハンガーと滅菌防臭材との間の間隔を安定的に設定する位置決め構造体を構成し、ハンガーあるいは滅菌防臭材の少なくとも一方にハンガーと滅菌防臭材との間の配置を安定的に設定する固定手段を構成することにより課題解決の手段としている。
【０００５】
【発明の実施の形態】
【発明の実施の形態】
以下に、この発明の実施の形態を図に基づいて説明する。
図１、図２は本発明の滅菌防臭機能付きハンガーの実施の形態を示す説明図である。
図１は本発明の実施例を示す説明図であり、図２は本発明の要部構造を示す説明図である。
さらに、図３、図５、図６は本発明の実施例を示す説明図である。
図４は本発明の要部構造を明示した説明図である。
同様に図７、図８、図９、図１０、図１１、図１２、図１３、図１４、図１５、図１６、図１７、図１８、図１９、図２０は本発明の実施例を示す説明図である。
図において、１は衣類等を掛けるハンガー、１ａはフック、１ｂは袖、２は滅菌防臭材、２ａは滅菌防臭材の一部に設けられた通し穴、３は位置決め構造体、４は衣類等、５はピンチである。
本発明の滅菌防臭機能付きハンガーにおいては、図１にある様に、滅菌防臭材２をハンガー１に掛けた衣類等４の周辺の露光部あるいは当該の露光部を含む部位に配置する固定手段として、滅菌防臭材２の一部に設けられた通し穴２ａに衣類等４をかけるハンガー１のフック１ａを通し、滅菌防臭材２をハンガー１に固定することにより固定手段としている。さらにハンガー１の袖１ｂのフック１ａ付近の一部の形状を凸部状に突出させ変形させて、位置決め構造体３を構成している。この固定手段と位置決め構造体３により滅菌防臭材２が衣類等４の襟により露光が妨げられることが無い位置に配置可能となっている。また図２には、本実施例の滅菌防臭材２の外観の様子及び滅菌防臭材２をハンガー１に装着した様子を示す説明図であり、図２に示した様に滅菌防臭材２は、一部に通し穴２ａを具備する円筒状の形状をしており、当該の通し穴２ａにハンガー１のフック１ａを通すことで固定手段として活用している。
本実施例のハンガー１及び滅菌防臭材２は、二酸化チタン光触媒が含有されている可塑性樹脂を用いて形成されている。さらにハンガー１及び滅菌防臭材２を二酸化チタン光触媒のバルクで構成したり、ハンガー１及び滅菌防臭材２の表面にのみあるいは一部にのみ二酸化チタン光触媒を用いた素材を利用して構成することが可能であることは言うまでもない。
この二酸化チタン光触媒は光が当たると、荷電子帯にある電子が、伝導帯に励起され、これにより荷電子帯には正孔が生成し、伝導体には電子が生成する。これらは、活性が高く表面で、荷電子帯側では酸化反応が、伝導体側では還元反応が起こる事が知られている。特徴として、酸化チタン光触媒は強い酸化還元力を持ちいろいろな化合物を酸化還元する。こうして、二酸化チタン光触媒は空気中の酸素や水から活性酸素と呼ばれる物質を生成する。この活性酸素には、その強い酸化力によって、表面に付着した種々の有機物を分解し細菌を殺し臭いを分解する作用があることが知られている。
位置決め構造体３を構成しない場合、衣類等４の襟、例えば厚手の衣類の防寒具の付帯したオーバーコート、あるいは頭巾の形態を成しているフード等が付帯した衣類等の場合、首周りの襟等にボリュームがあり、その襟等で光が遮られてしまいハンガー１及び滅菌防臭材２が十分露光されない（例えば従来例の図２１）。ところが、本実施例の様に固定手段（通し穴２ａとフック１ａで実現している固定手段）と位置決め構造体３を構成することにより滅菌防臭材２に光が衣類等４の襟等に遮られること無く露光されることが可能となる。滅菌防臭材２が露光されることによりその構成材料の二酸化チタン光触媒が露光され、光触媒反応で周辺の空気に活性酸素が生成され、ハンガー１周辺の空気が活性酸素が比較的多い大気となりハンガー１及びハンガー１に掛けられた衣類等４に付着している雑菌等を滅菌する。
ところで、この雑菌等を繁殖するがまま放置して置くと悪臭を発する原因となることは衆知である。本実施例の場合この雑菌等を滅菌することで、雑菌等が発する悪臭も防止することが可能であり、防臭の機能も果たすこととなることは明白である。
さらには、本実施例の場合、ハンガー１自体も二酸化チタン光触媒が含有されている可塑性樹脂を用いて形成されている。これは、襟の無い衣類等４の場合にこれらの二酸化チタン光触媒が含有されている可塑性樹脂を用いて形成されているフック１ａ等のハンガー１の部分が十分に露光され、十分な滅菌防臭効果が得られる。その上で滅菌防臭材２を図１に示した様に用いればいっそうの滅菌防臭効果が得られる。
また、製造の簡素化、容易さに配慮すれば、少なくとも二酸化チタン光触媒を用いた素材でハンガー１の全体を構成することも可能であり、かつ有益であることは言うまでもない。なおこのことは、本実施例の各種のどの展開例のハンガー１の全てに関してもに同じく適用可能であり有益なことである。
家庭においては、衣類等の保管用としてハンガー１を用いる事も常であり、衣類等４を洗濯する際の乾燥の時にもハンガー１を屋外・屋内のいずれにおいても用いられる事が常である。本実施例を用いれば、衣類等の保管時には通常ハンガー１に衣類等４を掛けて壁等に適切な手段のもと引っかけて保管されることは常であるが、この保管の際に屋内の蛍光灯程度の明るさの光がハンガー１の一部分及び滅菌防臭材２に照射されることにより保管の際に発生する雑菌等及びそれら雑菌などが発する悪臭を防ぎ、保管完了後の衣類が悪臭を発することが無くなる。同様に洗濯後の乾燥を晴天時に屋外で実施する場合にも洗濯後の衣類等４をハンガー１にかけて屋外に放置し乾燥することが常であるが、快晴時にも、曇天時程度の露光でも本実施例のハンガー１の一部分及び滅菌防臭材２が露光されることで光がハンガー１の一部分び滅菌防臭材２に照射され、洗濯乾燥の際に発生する雑菌等及びそれら雑菌などが発する悪臭を防ぎ、洗濯乾燥後の衣類等が悪臭を発することが無くなる。
さらに特に梅雨時において雨天が多い場合等、洗濯をしても屋外の太陽光のもとに干せない場合等には本実施例はその効力が大きい。屋外が雨天の場合、本実施例を用いれば屋内に乾燥を意図して干される洗濯後の衣類等を乾燥する際に屋内の蛍光灯程度の明るさの光がハンガー１の一部分及び滅菌防臭材２等に照射されることにより洗濯乾燥の際に発生する雑菌等及びそれら雑菌などが発する悪臭を防ぎ、屋内で干した場合での洗濯乾燥後の衣類が悪臭を発することが無くなる。
また、業務においては、保管において、販売等の際の展示において等種々の用途において衣類等４を掛けて用いられることが常であることは言うまでも無い。その上これ等の全ての場合において、ハンガーのみならず掛けてある衣類等にも不特定多数の人の手の接触等が大変多いことは言うまでも無いが、人の手が接触するということは汚れ等の付着が多いとともに雑菌等の付着が多いということである。これらの場合にも本実施例の有効であり、少なくとも屋内の蛍光灯程度の明るさの光がハンガー１の一部分及び滅菌防臭材２に照射されていれば保管、あるいは販売等の際に展示されている衣類等が十分に滅菌防臭されることは言うまでもない。
以上全ての場合において、本実施例はハンガー１に衣類等４を掛けた後に滅菌防臭材２の一部に設けられた通し穴にハンガー１のフック１ａを通すだけで良く、その際に滅菌防臭材２等の露光・非露光の状態に重点を置いて配慮する必要が無くなり取扱いが大変作業が簡素になることは言うまでもない。
さらに、使用しない際には箱や袋等にまとめて収納すれば良く、あるいは滅菌防臭材２の一部に設けられた通し穴２ａに紐等を通してまとめて収納することが可能であり、片づけて保管しておく際に大きく手間と場所を取るなどの不具合が解消されることは言うまでもない。
また、図３にある様に、ハンガー１のフック１ａに通して滅菌防臭材２とハンガー１の袖１ｂとの間の間隔を例えば厚手の衣類のオーバーコート、あるいは頭巾の形態を成しているフード等の襟等で光が遮られない程度に設定する通し穴のあるキューブ状のバルクをスペーサーの形態でフック１ａに滅菌防臭材２の先に通すことにより位置決め構造体３を構成することも可能である。その後に滅菌防臭材２を配置すれば菌防臭材２はハンガー１に掛けられた衣類等４の周辺の露光部に配置される。
さらに、図４にある様に、滅菌防臭材２の一部を例えば円錐状に形成して位置決め構造体３とし、その上で通し穴２ａを形成したものとして構成することも可能である。この場合、位置決め構造体３は円錐状のみである必要は無く、径の違う円筒状等滅菌防臭材２をハンガー１に掛けた衣類等４の周辺の露光部に配置可能であれば良く、位置決め構造体３の形状は自由度が十分広い。図５は図４の位置決め構造体３を適用した滅菌防臭剤２及びハンガー１の適用例である。滅菌防臭材２に形成された位置決め構造体３により滅菌防臭材２はハンガー１に掛けられた衣類等４の周辺の露光部に配置される。図４にある本実施例の場合位置決め構造体３は滅菌防臭材２と同一の二酸化チタン光触媒が含有されている可塑性樹脂を用いて形成されているが、必ずしも滅菌防臭材２の全体が均一で同一の素材で構成されている必要は無く、必要であれば、本実施例の滅菌防臭材２に構成された位置決め構造体３は二酸化チタン光触媒が含有されていない可塑性樹脂を用いて形成されていても構わない。必要とされる二酸化チタン光触媒が含有されている可塑性樹脂を用いて形成された滅菌防臭材２の部分がハンガー１に掛けられた衣類等の周辺の露光部に配置される構造として形成されれば十分であることは明白である。
図６にある様に、滅菌防臭材２を肉厚の薄い可塑性・可倒性のストロー状の通し穴２ａのある円筒で構成し、ハンガー１のフック１ａの部分に図６に示された様な曲部形状を位置決め構造体３として形成することも可能である。この場合肉厚の薄い可塑性のストロー状の円筒の滅菌防臭材２がハンガー１のフック１ａの曲部形状の位置決め構造体３で位置決めされ、滅菌防臭材２はハンガー１に掛けられた衣類等４の周辺の露光部に配置される。
図７にある様に、滅菌防臭材２をシート状に構成し、その一部に通し穴２ａを形成して、この通し穴２ａにハンガー１のフック１ａを通して活用することも可能である。この場合、位置決め構造体は図１、図３、図６に示した実施例の位置決め構造体３のいずれかを利用することが可能であり、図８に示した様に菌防臭材２はハンガー１に掛けられた衣類等４の周辺の露光部に配置される。
図９、図１０にある様に、滅菌防臭材２をシート状に構成し、その一部に通し穴２ａと切り込み状のスリット２ｂを形成し、スリット２ｂを通過させて通し穴２ａにハンガー１のフック１ａを通して活用することも可能である。この場合、位置決め構造体３は図１、図３、図６に示した実施例の位置決め構造体３のいずれかを利用することが可能であり、図８に示したのと同様にこれらの菌防臭材２はハンガー１に掛けられた衣類等４の周辺の露光部に配置される。
図１１にある様に、滅菌防臭材２をシート状に構成し、その一部に十字状の切り込みを入れ、できた片を図１２の様に折り込むことにより位置決め構造体３とし、切り込みを入れてできた片を折り込むことによりできた穴を通し穴２ａとし、これにハンガー１のフック１ａを通して活用することも可能である。この場合、切り込みを入れてできた片を折り込むことにより形成した位置決め構造体３がハンガー１に掛けられた衣類等４との間の距離を規定し、図８に示したのと同様に滅菌防臭材２はハンガー１に掛けられた衣類等４の周辺の露光部に配置される。
図１３にある様に、滅菌防臭材２を円環状の紐を固定手段及び位置決め構造体３として具備したシート状に構成し、滅菌防臭材２の一部（同時に固定手段及び位置決め構造体３でもある）円環状の紐の環の中にフック１ａを通して活用することも可能である。この場合、円環状の紐の固定手段及び位置決め構造体３の環の中にフック１ａを通してハンガー１に掛けられた衣類等４の外であり露光部となる位置にシート状の滅菌防臭材２が配置される。
図１４にある様に、滅菌防臭材２として、網の袋あるいは透光性があり、通気性を確保した通気口のあるビニール袋等に二酸化チタン光触媒が含有されている可塑性樹脂を用いて形成されたバルクを入れ、当該の網の袋あるいはビニール袋に紐を具備させることにより、紐の円環にハンガー１のフック１ａを通して活用することも可能である。この場合は二酸化チタン光触媒が含有されている可塑性樹脂を用いて形成されたバルクと、網の袋あるいは透過性があり、通気性を確保した通気口のあるビニール袋等と、当該の網の袋あるいはビニール袋に具備させた紐の全てを滅菌防臭材２として構成し、網の袋あるいはビニール袋に具備させた紐が固定手段及び位置決め構造体３であり、かつ当該の紐の中の円環が通し穴２ａである。結果として、円環状の紐の位置決め構造体３の環の中にフック１ａを通してハンガー１に掛けられた衣類等４の外であり露光部となる位置にシート状の滅菌防臭材２が配置される。
さらには図１５、図１６、図１７（図１７は図１６の滅菌防臭材２及び位置決め構造体３周辺の拡大図）にある様に、複数の衣類等４を同時に掛けて保持し吊すことが可能である形態のハンガー１においては、ハンガー１の衣類等４を掛けることが可能な各部、例えばピンチ５（図１５の場合）を利用して衣類等４を吊す部分に対応して形成された位置決め構造体３の必要な部位に、例えば図２や図１０に示された滅菌防臭材２の通し穴２ａを通して活用することも可能である。さらには図１６の複数の衣類等４を同時に掛けて保持し吊すことが可能である形態のハンガー１の全体外観及び図１７中の一部である滅菌防臭材２と位置決め構造体３の周辺の部分の拡大図の様子にある様に、滅菌防臭材２の通し穴２ａをハンガー１の一部に通し位置決め構造体３で滅菌防臭材２をハンガー１に掛けられた衣類等４の外であり露光部となる位置に配置することも可能である。また本実施例の場合滅菌防臭材２を取り付ける個数も必要が生じた数量だけ取り付ければよい。本実施例の固定手段及び位置決め構造体３は一例でありたとえ他の構造であっても、必要とされる二酸化チタン光触媒が露光部を利用した滅菌防臭剤２が露光部に配置ざる構造であれば十分であることは言うまでもない。
図１８、図１９、図２０はボディハンガー（図１８）、トルソー（図１９）、コートハンガー（図２０）と呼ばれるハンガー１の形態の場合の実施例である。それぞれ、滅菌防臭材２を図２で示した形態のものを使用した場合の例である。通し穴２ａにそれぞれのハンガー１の一部分を通し、ハンガー１に形成された位置決め構造体３で滅菌防臭材２がハンガー１に掛けられた衣類等４の周辺の露光部に配置される。
本実施例の固定手段及び位置決め構造体３は一例でありたとえ他の構造であっても、必要とされる二酸化チタン光触媒が露光部を利用した滅菌防臭剤２が露光部に配置ざる構造であれば十分であることは言うまでもない。
ところで、これら本発明の実施例の中で滅菌防臭材２はそれぞれの実施例に示されたハンガー１との組み合わせに限定されるわけでは無く、本発明で例示された滅菌防臭材２の全ての形態は適切にその形状をハンガー１と伴に統一的に設計すれば、互いに可換であり組み合わせ自由に交換して使用することが可能であることは言うまでもない。
以上の様に本発明では、ハンガー１周辺の露光部位あるいは当該の露光部位を含む領域に滅菌防臭材２あるいは滅菌防臭性を具備するハンガー１の一部を配置することを可能とし、光がある時には酸化チタン光触媒等の脱臭性・抗菌性・滅菌性を具備する素材を用いた滅菌防臭材２が常に露光され、露光時には常に脱臭、滅菌の作用をハンガー１及びハンガー１に掛けた衣類等４に及ぼし、ハンガー１及び衣類等４の全体への酸化チタン光触媒の脱臭・抗菌・滅菌の作用を波及させ、脱着が容易で収納・保管に手間と場所を取らない等のことが可能である滅菌防臭材及びハンガーを提供している。
【０００６】
【発明の効果】
以上の様に本発明では、ハンガー周辺の露光部位あるいは当該の露光部位を含む領域に滅菌防臭材あるいは滅菌防臭性を具備するハンガーの一部を配置することを可能とし、光がある時には酸化チタン光触媒等の脱臭性・抗菌性・滅菌性を具備する素材を用いた滅菌防臭材が常に露光され、露光時には常に脱臭、滅菌の作用をハンガー及びハンガーに掛けた衣類等に及ぼし、ハンガー及び衣類等の全体への酸化チタン光触媒の脱臭・抗菌・滅菌の作用を波及させ、脱着が容易で収納・保管に手間と場所を取らない等のことが可能である。
また、本発明では、有機物が分解され雑菌が滅菌される二酸化チタン光触媒の効果によりハンガー及びハンガーに掛けられた衣類等に対して防カビ、防虫（有機物が分解されることにより餌が無くなるために虫が寄りつかなくなる）の効果もあることは言うまでもない。
さらには、各種形状の滅菌防臭材のそれぞれ全てにおいてはマーキング、印字等を処置することができ、これに衣類等の型、サイズ等を表す記号を表記したり、製品名等を表記したり、所有者名等を表記したり、その他諸々の内容を表記させて使うこが可能であり、滅菌防臭材を脱臭性・抗菌性・滅菌性及び防虫・防カビ性のある表示具として取り扱うことが可能であるという効果もある。
【図面の簡単な説明】
【図１】本発明の滅菌防臭機能付きハンガーを示す説明図である。
【図２】本発明の滅菌防臭材の説明図である。
【図３】本発明の滅菌防臭機能付きハンガーを示す説明図である。
【図４】本発明の滅菌防臭材を示す説明図である。
【図５】本発明の滅菌防臭機能付きハンガーを示す説明図である。
【図６】本発明の滅菌防臭機能付きハンガーを示す説明図である。
【図７】本発明の滅菌防臭材を示す説明図である。
【図８】本発明の滅菌防臭機能付きハンガーを示す説明図である。
【図９】本発明の滅菌防臭材を示す説明図である。
【図１０】本発明の滅菌防臭材を示す説明図である。
【図１１】本発明の滅菌防臭材を示す説明図である。
【図１２】本発明の滅菌防臭材を示す説明図である。
【図１３】本発明の滅菌防臭材を示す説明図である。
【図１４】本発明の滅菌防臭材を示す説明図である。
【図１５】本発明の滅菌防臭機能付きハンガーを示す説明図である。
【図１６】本発明の滅菌防臭機能付きハンガーを示す説明図である。
【図１７】本発明の滅菌防臭機能付きハンガーを示す説明図である。
【図１８】本発明の滅菌防臭機能付きハンガーを示す説明図である。
【図１９】本発明の滅菌防臭機能付きハンガーを示す説明図である。
【図２０】本発明の滅菌防臭機能付きハンガーを示す説明図である。
【図２１】従来のハンガーを示す説明図である。
【図２２】従来のハンガーを示す説明図である。
【図２３】従来のハンガーを示す説明図である。
【図２４】従来のハンガーを示す説明図である。
【図２５】従来のハンガーを示す説明図である。
【図２６】従来のハンガーを示す説明図である。
【符号の説明】
１は衣類等を掛けるハンガー、
１ａはフック、
１ｂは袖、
２は滅菌防臭材、
２ａは滅菌防臭材の一部に設けられた通し穴、
２ｂはスリット、
３は位置決め構造体、
４は衣類等、
５はピンチ、
１０１はハンガー、
１０１ａはハンガーのフック、
１０１ｂはハンガーの袖、
１０２は衣類等
【図１】
2004105660.tif 000003
【図２】
2004105660.tif 000004
【図３】
2004105660.tif 000005
【図４】
2004105660.tif 000006
【図５】
2004105660.tif 000007
【図６】
2004105660.tif 000008
【図７】
2004105660.tif 000009
【図８】
2004105660.tif 000010
【図９】
2004105660.tif 000011
【図１０】
2004105660.tif 000012
【図１１】
2004105660.tif 000013
【図１２】
2004105660.tif 000014
【図１３】
2004105660.tif 000015
【図１４】
2004105660.tif 000016
【図１５】
2004105660.tif 000017
【図１６】
2004105660.tif 000018
【図１７】
2004105660.tif 000019
【図１８】
2004105660.tif 000020
【図１９】
2004105660.tif 000021
【図２０】
2004105660.tif 000022
【図２１】
2004105660.tif 000023
【図２２】
2004105660.tif 000024
【図２３】
2004105660.tif 000025
【図２４】
2004105660.tif 000026
【図２５】
2004105660.tif 000027
【図２６】
2004105660.tif 000028